【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
幾つかの出力オーディオチャネルを生成するための装置であって、前記装置は、
幾つかの入力オーディオチャネル及びパラメトリックオーディオデータを有するデータストリームを受信するための手段を有し、前記データストリームは更に、階層型デコーダ構造についてのデコーダ木構造データを有し、前記デコーダ木構造データは、前記階層型デコーダ構造の階層におけるオーディオチャネルについてのチャネル分割特性を示す少なくとも１つのデータ値を有し、前記装置は更に、
前記デコーダ木構造データに応じて前記階層型デコーダ構造を生成するための手段と、
前記階層型デコーダ構造を利用して前記データストリームから前記幾つかの出力オーディオチャネルを生成するための手段と、
を有する装置。
【請求項２】
前記デコーダ木構造データは複数のデータ値を有し、各前記データ値は、前記階層型デコーダ構造の１つの階層における１つのチャネルについてのチャネル分割特性を示す、請求項１に記載の装置。
【請求項３】
所定の前記データ値が、前記階層において前記チャネルについてのチャネル分割がないことを示す、請求項２に記載の装置。
【請求項４】
所定の前記データ値が、前記階層における前記チャネルについての１つから２つへのチャネル分割を示す、請求項２に記載の装置。
【請求項５】
前記複数のデータ値はバイナリデータ値である、請求項２に記載の装置。
【請求項６】
一方の所定の前記バイナリデータ値が１つから２つへのチャネル分割を示し、他方の所定のバイナリデータ値がチャネル分割がないことを示す、請求項５に記載の装置。
【請求項７】
前記データストリームは更に、入力チャネルの数のインジケータを有する、請求項１に記載の装置。
【請求項８】
前記データストリームは更に、出力チャネルの数のインジケータを有する、請求項１に記載の装置。
【請求項９】
前記データストリームは更に、前記階層型デコーダ構造における幾つかの１つから２つへのチャネル分割機能のインジケータを有する、請求項１に記載の装置。
【請求項１０】
前記データストリームは更に、前記階層型デコーダ構造における幾つかの２つから３つへのチャネル分割機能のインジケータを有する、請求項１に記載の装置。
【請求項１１】
前記デコーダ木構造データは、２つから３つへのチャネル分割機能の存在に応じて順序付けられた複数のデコーダ木構造についてのデータを有する、請求項１に記載の装置。
【請求項１２】
少なくとも１つの入力チャネルについての前記デコーダ木構造データは、２つから３つへのチャネル分割機能がルート層に存在することを示すインジケータを有し、該インジケータはバイナリデータに後続され、各前記バイナリデータの値は、分割機能がないことか又は２つから３つへの分割機能の従属する層についての１つから２つへのチャネル分割機能を示す、請求項１に記載の装置。
【請求項１３】
前記データストリームは更に、少なくとも１つの前記出力チャネルについてのラウドスピーカ位置のインジケータを有する、請求項１に記載の装置。
【請求項１４】
前記階層型デコーダ構造を生成するための手段は、前記デコーダ木構造データに応じて、前記階層のチャネル分割機能についての乗算パラメータを決定するように構成された、請求項１に記載の装置。
【請求項１５】
前記デコーダ木構造は、少なくとも１つの階層における少なくとも１つのチャネル分割機能を有し、前記少なくとも１つのチャネル分割機能は、
前記データストリームのオーディオ入力チャネルから非相関信号を直接に生成するための非相関手段と、
より高い階層からのオーディオチャネル及び前記非相関信号から、複数の階層出力チャネルを生成するための少なくとも１つのチャネル分割ユニットと、
前記デコーダ木構造データに応じて、非相関フィルタ又は前記チャネル分割ユニットの少なくとも１つの特性を決定するための手段と、
を有する、請求項１に記載の装置。
【請求項１６】
前記非相関手段は、前記オーディオ入力チャネルに対してオーディオレベル補償を実行してレベル補償されたオーディオ信号を生成するためのレベル補償手段と、前記レベル補償されたオーディオ信号をフィルタリングして非相関信号を生成するための非相関フィルタと、を有する、請求項１５に記載の装置。
【請求項１７】
前記レベル補償手段は、プリ行列による行列乗算を有する、請求項１６に記載の装置。
【請求項１８】
前記プリ行列の係数は、１つから２つへのチャネル分割機能のみを有する階層型デコーダ構造についての少なくとも１つの１の値を持つ、請求項１７に記載の装置。
【請求項１９】
より高い階層におけるチャネル分割機能のパラメータに応じて、少なくとも１つの階層における少なくとも１つのチャネル分割機能についてのプリ行列を決定するための手段を更に有する、請求項１７に記載の装置。
【請求項２０】
少なくとも１つの階層における少なくとも１つのチャネル分割機能のパラメータに応じて、前記少なくとも１つのチャネル分割機能についてのチャネル分割行列を決定するための手段を有する、請求項１７に記載の装置。
【請求項２１】
より高い階層の２つから３つへのチャネル分割機能のパラメータに応じて、少なくとも１つの階層における少なくとも１つのチャネル分割機能についてのプリ行列を決定するための手段を更に有する、請求項１７に記載の装置。
【請求項２２】
前記プリ行列を決定するための手段は、２つから３つへのアップミクサの第１の入力に対応する第１のサブプリ行列及び前記２つから３つへのアップミクサの第２の入力に対応する第２のサブプリ行列の決定に応じて、少なくとも１つのチャネル分割機能についてのプリ行列を決定するように構成された、請求項２１に記載の装置。
【請求項２３】
幾つかの出力オーディオチャネルを有するデータストリームを生成するための装置であって、
幾つかの入力オーディオチャネルを受信するための手段と、
前記幾つかの入力オーディオチャネルをパラメトリックにエンコードし、前記幾つかの出力オーディオチャネル及びパラメトリックオーディオデータを有するデータストリームを生成するための階層型エンコード手段と、
前記階層型エンコード手段に対応する階層型デコーダ構造を決定するための手段と、
前記階層型デコーダ構造の階層におけるオーディオチャネルについてのチャネル分割特性を示す少なくとも１つのデータ値を有するデコーダ木構造データを、前記データストリームに含めるための手段と、
を有する装置。
【請求項２４】
幾つかの出力オーディオチャネルを生成する方法であって、前記方法は、
幾つかの入力オーディオチャネル及びパラメトリックオーディオデータを有するデータストリームを受信するステップを有し、前記データストリームは更に、階層型デコーダ構造についてのデコーダ木構造データを有し、前記デコーダ木構造データは、前記階層型デコーダ構造の階層におけるオーディオチャネルについてのチャネル分割特性を示す少なくとも１つのデータ値を有し、前記方法は更に、
前記デコーダ木構造データに応じて前記階層型デコーダ構造を生成するステップと、
前記階層型デコーダ構造を利用して前記データストリームから前記幾つかの出力オーディオチャネルを生成するステップと、
を有する方法。
【請求項２５】
幾つかの出力オーディオチャネルを有するデータストリームを生成する方法であって、
幾つかの入力オーディオチャネルを受信するステップと、
前記幾つかの入力オーディオチャネルをパラメトリックにエンコードし、前記幾つかの出力オーディオチャネル及びパラメトリックオーディオデータを有するデータストリームを生成するステップと、
前記階層型エンコード手段に対応する階層型デコーダ構造を決定するステップと、
前記階層型デコーダ構造の階層におけるオーディオチャネルについてのチャネル分割特性を示す少なくとも１つのデータ値を有するデコーダ木構造データを、前記データストリームに含めるステップと、
を有する方法。
【請求項２６】
幾つかの出力オーディオチャネルを生成するための受信器であって、前記受信器は、
幾つかの入力オーディオチャネル及びパラメトリックオーディオデータを有するデータストリームを受信するための手段を有し、前記データストリームは更に、階層型デコーダ構造についてのデコーダ木構造データを有し、前記デコーダ木構造データは、前記階層型デコーダ構造の階層におけるオーディオチャネルについてのチャネル分割特性を示す少なくとも１つのデータ値を有し、前記受信器は更に、
前記デコーダ木構造データに応じて前記階層型デコーダ構造を生成するための手段と、
前記階層型デコーダ構造を利用して前記データストリームから前記幾つかの出力オーディオチャネルを生成するための手段と、
を有する受信器。
【請求項２７】
幾つかの出力オーディオチャネルを有するデータストリームを生成するための送信器であって、
幾つかの入力オーディオチャネルを受信するための手段と、
前記幾つかの入力オーディオチャネルをパラメトリックにエンコードし、前記幾つかの出力オーディオチャネル及びパラメトリックオーディオデータを有するデータストリームを生成するための階層型エンコード手段と、
前記階層型エンコード手段に対応する階層型デコーダ構造を決定するための手段と、
前記階層型デコーダ構造の階層におけるオーディオチャネルについてのチャネル分割特性を示す少なくとも１つのデータ値を有するデコーダ木構造データを、前記データストリームに含めるための手段と、
を有する送信器。
【請求項２８】
データストリームを生成するための送信器と、幾つかの出力オーディオチャネルを生成するための受信器とを有する伝送システムであって、前記送信器は、
幾つかの入力オーディオチャネルを受信するための手段と、
前記幾つかの入力オーディオチャネルをパラメトリックにエンコードし、前記幾つかの出力オーディオチャネル及びパラメトリックオーディオデータを有するデータストリームを生成するための階層型エンコード手段と、
前記階層型エンコード手段に対応する階層型デコーダ構造を決定するための手段と、
前記階層型デコーダ構造の階層におけるオーディオチャネルについてのチャネル分割特性を示す少なくとも１つのデータ値を有するデコーダ木構造データを、前記データストリームに含めるための手段と、
前記データストリームを前記受信器に送信するための手段と、
を有し、前記受信器は、
前記データストリームを受信するための手段と、
前記デコーダ木構造データに応じて前記階層型デコーダ構造を生成するための手段と、
前記階層型デコーダ構造を利用して前記データストリームから前記幾つかの出力オーディオチャネルを生成するための手段と、
を有する伝送システム。
【請求項２９】
データストリームを受信する方法であって、前記方法は、
幾つかの入力オーディオチャネル及びパラメトリックオーディオデータを有するデータストリームを受信するステップを有し、前記データストリームは更に、階層型デコーダ構造についてのデコーダ木構造データを有し、前記デコーダ木構造データは、前記階層型デコーダ構造の階層におけるオーディオチャネルについてのチャネル分割特性を示す少なくとも１つのデータ値を有し、前記方法は更に、
前記デコーダ木構造データに応じて前記階層型デコーダ構造を生成するステップと、
前記階層型デコーダ構造を利用して前記データストリームから前記幾つかの出力オーディオチャネルを生成するステップと、
を有する方法。
【請求項３０】
幾つかの出力オーディオチャネルを有するデータストリームを送信する方法であって、
幾つかの入力オーディオチャネルを受信するステップと、
前記幾つかの入力オーディオチャネルをパラメトリックにエンコードし、前記幾つかの出力オーディオチャネル及びパラメトリックオーディオデータを有するデータストリームを生成するステップと、
前記階層型エンコード手段に対応する階層型デコーダ構造を決定するステップと、
前記階層型デコーダ構造の階層におけるオーディオチャネルについてのチャネル分割特性を示す少なくとも１つのデータ値を有するデコーダ木構造データを、前記データストリームに含めるステップと、
前記データストリームを送信するステップと、
を有する方法。
【請求項３１】
データストリームを送信及び受信する方法であって、前記方法は、送信器において、
幾つかの入力オーディオチャネルを受信するステップと、
前記幾つかの入力オーディオチャネルをパラメトリックにエンコードし、幾つかのオーディオチャネル及びパラメトリックオーディオデータを有するデータストリームを生成するステップと、
前記階層型エンコード手段に対応する階層型デコーダ構造を決定するステップと、
前記階層型デコーダ構造の階層におけるオーディオチャネルについてのチャネル分割特性を示す少なくとも１つのデータ値を有するデコーダ木構造データを、前記データストリームに含めるステップと、
前記データストリームを受信器に送信するステップと、
を有し、受信器において、
前記データストリームを受信するステップと、
前記デコーダ木構造データに応じて前記階層型デコーダ構造を生成するステップと、
前記階層型デコーダ構造を利用して前記データストリームから幾つかの出力オーディオチャネルを生成するステップと、
を有する方法。
【請求項３２】
請求項２４、２５、２９、３０及び３１のいずれか一項に記載の方法を実行するためのコンピュータプログラム。
【請求項３３】
請求項１に記載の装置を有するオーディオ再生装置。
【請求項３４】
請求項２３に記載の装置を有するオーディオ記録装置。